(57)【要約】
【課題】  簡単な構成で丸穴付きの枕木に角フックボルトを回り止めした状態で固定可能な角フックボルトを用いた橋梁用丸穴付枕木固定構造を提供する。
【解決手段】  上下に配置される螺子部１２及び角形断面の軸部１３と、下端部に形成したフック部１４と、螺子部１２の側面に形成した係合面１５とを有する角フックボルト１１と、枕木２の上面に幅方向に配置される中間部１６と、枕木２の側面に沿って下方へ延びる１対のアーム部１７と、中間部１６の略中央部に形成した挿通穴１８と、挿通穴１８の口縁に形成した係止部とを有し、挿通穴１８に角フックボルト１１の螺子部１２を挿通させて枕木２に組付けられ、角フックボルト１１のとも回りを規制可能な回り止め金具２０と、角フックボルト１１の螺子部１２に螺合されるナット部材２１とを備えた。
【選択図】        図１
0003101165.tif 000002
【実用新案登録請求の範囲】
【請求項１】
枕木に形成した丸穴に角フックボルトを組付けて橋梁に対して枕木を固定する角フックボルトを用いた橋梁用丸穴付枕木固定構造であって、
上下に配置される螺子部及び角形断面の軸部と、下端部に形成したフック部と、螺子部の側面にその軸方向の略全長にわたって形成した回り止め用の係合面とを有し、螺子部と軸部とを枕木の丸穴に装着し、フック部を橋梁の一部に係合させて枕木に組付けられる角フックボルトと、
前記枕木の上面に幅方向に配置される中間部と、枕木の側面に沿って下方へ延びる１対のアーム部と、中間部の略中央部に形成した挿通穴と、挿通穴の口縁に形成した係止部とを有し、挿通穴に角フックボルトの螺子部を挿通させて枕木に組付けられ、係止部が角フックボルトの係合面に係合するとともに、アーム部が枕木に係合することで角フックボルトのとも回りを規制可能な回り止め金具と、
前記角フックボルトの螺子部に螺合され、フック部との間に枕木と橋梁の一部と回り止め金具とを挟持して、枕木を橋梁に固定するナット部材と、
を備えたことを特徴とする角フックボルトを用いた橋梁用丸穴付枕木固定構造。
【請求項２】
前記挿通穴を枕木の幅方向に細長い長穴状に形成した請求項１記載の角フックボルトを用いた橋梁用丸穴付枕木固定構造。
【請求項３】
前記ナット部材と回り止め金具間において螺子軸にスプリングワッシャと座板とを上下に外嵌装着した請求項1又は２記載の角フックボルトを用いた橋梁用丸穴付枕木固定構造。
【請求項４】
枕木に形成した丸穴に角フックボルトを組付けて橋梁に対して枕木を固定する角フックボルトを用いた橋梁用丸穴付枕木固定構造であって、
上下に配置される螺子部及び角形断面の軸部と、下端部に形成したフック部とを有し、螺子部と軸部とを枕木の丸穴に装着し、フック部を橋梁の一部に係合させて枕木に組付けられる角フックボルトと、
前記枕木の下面に幅方向に配置される中間部と、枕木の側面に沿って上方へ延びる１対のアーム部と、両アーム部の上端から内向きに延びて枕木の上面に係合する爪部と、中間部の略中央部に形成した、角フックボルトの軸部に適合した角穴状の挿通穴とを有し、挿通穴に角フックボルトの軸部を挿通させて枕木に組付けられ、挿通穴が角フックボルトの軸部に係合するとともに、アーム部が枕木に係合することで角フックボルトのとも回りを規制可能な回り止め金具と、
前記角フックボルトの螺子部に螺合され、フック部との間に枕木と橋梁の一部と回り止め金具を挟持して、枕木を橋梁に固定するナット部材と、
を備えたことを特徴とする角フックボルトを用いた橋梁用丸穴付枕木固定構造。
【請求項５】
前記回り止め金具の中間部の長さを枕木の幅よりもやや大きく設定した請求項４記載の角フックボルトを用いた橋梁用丸穴付枕木固定構造。
【請求項６】
前記枕木とナット部材間において螺子軸にスプリングワッシャと座板とを上下に外嵌装着した請求項４又は５記載の角フックボルトを用いた橋梁用丸穴付枕木固定構造。
【請求項７】
前記角フックボルトを下側へ付勢する弾性部材をフック部と回り止め金具間において軸部に外嵌装着した請求項４〜６のいずれか１項記載の角フックボルトを用いた橋梁用丸穴付枕木固定構造。
【請求項８】
前記角フックボルトの素材として、ＪＩＳ規格のＪＩＳ  Ｇ  ３１０１で規定される一般構造用圧延鋼材ＳＳ４００を用いた請求項１〜７のいずれか１項記載の角フックボルトを用いた橋梁用丸穴付枕木固定構造。
【請求項９】
前記角フックボルトの螺子部の上端近傍部に取付穴を形成し、この取付穴にナット部材の脱落を規制する金属線材からなるピン部材であって、一端部に金属線材の途中部を曲げ加工することで、取付穴へのピン部材の取付操作用の操作部を形成し、他端側部分に操作部から略同方向へ延びる２本のピン本体を形成し、一方のピン本体に取付穴に挿通されるストレート状の挿入部を形成し、他方のピン本体に螺子部の外周に沿って配置される湾曲状の保持部と、保持部の突出側へ保持部に連なって延びる略Ｕ字状の案内部と、挿入部を挟んで反対側へ案内部に連なって延びる脱落規制部とを形成したピン部材を取付けた請求項１〜８のいずれか１項記載の角フックボルトを用いた橋梁用丸穴付枕木固定構造。
【考案の詳細な説明】
【技術分野】
【０００１】
本考案は、角フックボルトを用いて丸穴付枕木を橋梁に固定するのに好適に利用可能な角フックボルトを用いた橋梁用丸穴付枕木固定構造に関する。
【背景技術】
【０００２】
橋梁のＨ型鋼に対して枕木を固定するための枕木固定構造として、上下に配置される螺子部及び丸形断面の軸部と、下端部に形成したフック部とを有し、螺子部と軸部とを枕木の丸穴に装着し、フック部を橋梁のＨ形鋼のフランジ部に圧接係合させて枕木に組付けられるフックボルトと、フックボルトの螺子部に螺合され、フック部との間に枕木とＨ形鋼のフランジ部とを挟持して、枕木を橋梁に固定するナット部材とを備えたものが広く採用されている。
【０００３】
また、ナット部材の締結時にフックボルトがとも回りすることを防止するため、前記フックボルトの螺子部の側面に螺子部の軸方向の略全長にわたって係合面を形成するとともに、この螺子部の断面形状に適合する挿通穴を形成したＬ字状の回り止め金具を設け、挿通穴に螺子部を挿通させて回り止め金具を枕木の一方の側面に係合させることで、ナット部材を螺子部に締結するときにおけるフックボルトのとも回りを防止するようになした枕木固定構造も提案されている（例えば、特許文献１参照。）。
【０００４】
一方、回り止め金具を用いることなく、フックボルトのとも回りを防止するための枕木固定構造として、フックボルトの軸部を角形断面に形成し、軸部に適合する角穴を枕木に形成し、フックボルトの軸部と枕木の角穴との係合により、フックボルトのとも回りを防止する枕木固定構造も提案され実用化されつつある。
【０００５】
【特許文献１】実開昭６３−９５７１１号公報
【考案の開示】
【考案が解決しようとする課題】
【０００６】
ところで、軸部を角形断面に形成したフックボルト（以下、角フックボルトと称する）は、とも回り防止用の部材を別途設ける必要がなく、また材質や寸法を適正に設定することで、丸形断面のフックボルト（以下、丸フックボルトと称する）よりも引張り強度や締付けトルクを高く設定できるとともに、フック部のバネ効果を十分に発揮させて列車通過時における振動によってもナット部材が緩まないように構成できるという優れた利点を有しているが、枕木の耐用年数はフックボルトの耐用年数に比して格段に長く、既設の丸穴付きの枕木に関してはその交換時まで丸フックボルトを使用する必要があり、角フックボルトの普及が遅々として進まないという問題があった。
【０００７】
本考案の目的は、簡単な構成で丸穴付きの枕木に角フックボルトを回り止めした状態で固定可能な角フックボルトを用いた橋梁用丸穴付枕木固定構造を提供することである。
【課題を解決するための手段】
【０００８】
本出願人は、角フックボルトの普及について鋭意研究した結果、既設の丸穴付きに枕木に対して組み付け得るサイズの角フックボルトであっても、材質や寸法を適正に設定することで、引張り強度や締付けトルク、フック部のバネ効果を十分に確保できるとの試験結果を得て本考案を完成するに至った。
【０００９】
本考案に係る第１の角フックボルトを用いた橋梁用丸穴付枕木固定構造は、枕木に形成した丸穴に角フックボルトを組付けて橋梁に対して枕木を固定する角フックボルトを用いた橋梁用丸穴付枕木固定構造であって、上下に配置される螺子部及び角形断面の軸部と、下端部に形成したフック部と、螺子部の側面にその軸方向の略全長にわたって形成した回り止め用の係合面とを有し、螺子部と軸部とを枕木の丸穴に装着し、フック部を橋梁の一部に係合させて枕木に組付けられる角フックボルトと、前記枕木の上面に幅方向に配置される中間部と、枕木の側面に沿って下方へ延びる１対のアーム部と、中間部の略中央部に形成した挿通穴と、挿通穴の口縁に形成した係止部とを有し、挿通穴に角フックボルトの螺子部を挿通させて枕木に組付けられ、係止部が角フックボルトの係合面に係合するとともに、アーム部が枕木に係合することで角フックボルトのとも回りを規制可能な回り止め金具と、前記角フックボルトの螺子部に螺合され、フック部との間に枕木と橋梁の一部と回り止め金具とを挟持して、枕木を橋梁に固定するナット部材とを備えたものである。
【００１０】
この第１の枕木固定構造は、枕木に形成した丸穴に角フックボルトを装着して枕木を固定するので、既設の丸穴付き枕木に対してもそれに組付けられる丸フックボルトの交換時に、丸フックボルトに代えて角フックボルトを組付けることができる。また、角フックボルトの螺子部にその略全長にわたって係合面を形成するとともに、簡単な構成の回り止め金具を設けることで、回り止め金具の係止部と角フックボルトの係合面との係合と、アーム部と枕木の両側面との係合とにより、ナット部材の締め付け時における角フックボルトのとも回りを防止できる。しかも、回り止め金具の中間部を枕木の上面側に配置させるので、枕木の上側からの回り止め金具の組付けが可能で、現場における回り止め金具の組付性を向上できるとともに、アーム部の両側面を枕木の側面に係合させるので、回り止め金具を安定的に枕木に係合させることができる。
【００１１】
ここで、前記挿通穴を枕木の幅方向に細長い長穴状に形成すること、前記ナット部材と回り止め金具間において螺子軸にスプリングワッシャと座板とを上下に外嵌装着すること、などが好ましい実施例である。
【００１２】
本考案に係る第２の角フックボルトを用いた橋梁用丸穴付枕木固定構造は、枕木に形成した丸穴に角フックボルトを組付けて橋梁に対して枕木を固定する角フックボルトを用いた橋梁用丸穴付枕木固定構造であって、上下に配置される螺子部及び角形断面の軸部と、下端部に形成したフック部とを有し、螺子部と軸部とを枕木の丸穴に装着し、フック部を橋梁の一部に係合させて枕木に組付けられる角フックボルトと、前記枕木の下面に幅方向に配置される中間部と、枕木の側面に沿って上方へ延びる１対のアーム部と、両アーム部の上端から内向きに延びて枕木の上面に係合する爪部と、中間部の略中央部に形成した、角フックボルトの軸部に適合した角穴状の挿通穴とを有し、挿通穴に角フックボルトの軸部を挿通させて枕木に組付けられ、挿通穴が角フックボルトの軸部に係合するとともに、アーム部が枕木に係合することで角フックボルトのとも回りを規制可能な回り止め金具と、前記角フックボルトの螺子部に螺合され、フック部との間に枕木と橋梁の一部と回り止め金具を挟持して、枕木を橋梁に固定するナット部材とを備えたものである。
【００１３】
この第２の枕木固定構造は、枕木に形成した丸穴に角フックボルトを装着して枕木を固定するので、既設の丸穴付き枕木に対してもそれに組付けられる丸フックボルトの交換時に、丸フックボルトに代えて角フックボルトを組付けることができる。また、簡単な構成の回り止め金具を設けることで、回り止め金具の挿通穴と角フックボルトの軸部との係合と、アーム部と枕木の両側面との係合とにより、ナット部材の締め付け時における角フックボルトのとも回りを防止できる。しかも、回り止め金具の中間部を枕木の下面側に配置させるので、現場における回り止め金具の組付性は多少低下するが、爪部を枕木の上面側に係合させるので、回り止め金具を仮固定した状態でナット部材を締結することが可能となり、しかもアーム部の両側面を枕木の側面に係合させるので、回り止め金具を安定的に枕木に係合させることができる。
【００１４】
ここで、前記回り止め金具の中間部の長さを枕木の幅よりもやや大きく設定すること、前記枕木とナット部材間において螺子軸にスプリングワッシャと座板とを上下に外嵌装着すること、前記角フックボルトを下側へ付勢する弾性部材をフック部と回り止め金具間において軸部に外嵌装着すること、などが好ましい実施例である。
【００１５】
また、第１及び第２の枕木固定構造において、前記角フックボルトの螺子部の上端近傍部に取付穴を形成し、この取付穴にナット部材の脱落を規制する金属線材からなるピン部材であって、一端部に金属線材の途中部を曲げ加工することで、取付穴へのピン部材の取付操作用の操作部を形成し、他端側部分に操作部から略同方向へ延びる２本のピン本体を形成し、一方のピン本体に取付穴に挿通されるストレート状の挿入部を形成し、他方のピン本体に螺子部の外周に沿って配置される湾曲状の保持部と、保持部の突出側へ保持部に連なって延びる略Ｕ字状の案内部と、挿入部を挟んで反対側へ案内部に連なって延びる脱落規制部とを形成したピン部材を取付けること、などが好ましい実施例である。
【考案の効果】
【００１６】
本考案に係る第１の角フックボルトを用いた橋梁用丸穴付枕木固定構造によれば、既設の丸穴付き枕木に対してもそれに組付けられる丸フックボルトの交換時に、丸フックボルトに代えて角フックボルトを組付けることができる。また、簡単な構成の回り止め金具を設けることで、ナット部材の締め付け時における角フックボルトのとも回りを防止でき、しかもこの回り止め金具は枕木の上側からの組付けが可能なので、現場における回り止め金具の組付性を向上できる。更に、回り止め金具のアーム部の両側面を枕木の側面に係合させるので、角フックボルトのとも回りを安定性良く防止できる。
【００１７】
ここで、前記挿通穴を枕木の幅方向に細長い長穴状に形成すると、枕木に形成された丸穴の位置が幅方向に多少ずれていた場合でも、回り止め金具を枕木の幅方向に位置調整して、枕木の丸穴と回り止め金具の挿通穴とを位置合わせして、角フックボルトを両穴に装着できるので好ましい。
【００１８】
また、前記ナット部材と回り止め金具間において螺子軸にスプリングワッシャと座板とを上下に外嵌装着すると、列車通過時における振動でナット部材が緩むことをスプリングワッシャにより効果的に防止できる。また、座板を設けることで、挿通穴を長穴に構成した場合でも、この座板によりスプリングワッシャを安定性良く受け止めることが可能となる。
【００１９】
本考案に係る第２の角フックボルトを用いた橋梁用丸穴付枕木固定構造によれば、既設の丸穴付き枕木に対してもそれに組付けられる丸フックボルトの交換時に、丸フックボルトに代えて角フックボルトを組付けることができる。また、簡単な構成の回り止め金具を設けることで、ナット部材の締め付け時における角フックボルトのとも回りを防止できる。しかも、回り止め金具の爪部を枕木の上面側に係合させるので、回り止め金具を仮固定した状態でナット部材を締結することが可能となり、ナット部材の締め付け作業の作業性を向上できるとともに、アーム部の両側面を枕木の側面に係合させるので、角フックボルトのとも回りを安定性良く防止できる。
【００２０】
ここで、前記回り止め金具の中間部の長さを枕木の幅よりもやや大きく設定すると、中間部を枕木の幅方向に位置調整することで、回り止め金具の挿通穴と枕木の丸穴とを位置合わせてして、角フックボルトを両穴に装着できる。
【００２１】
前記枕木とナット部材間において螺子軸にスプリングワッシャと座板とを上下に外嵌装着すると、列車通過時における振動でナット部材が緩むことをスプリングワッシャにより効果的に防止できる。
【００２２】
前記角フックボルトを下側へ付勢する弾性部材をフック部と回り止め金具間において軸部に外嵌装着すると、回り止め部材をガタなく組み付けることができるとともに、列車通過時等における振動を弾性部材で吸収して該振動でナット部材が緩むことを防止できる。
【００２３】
第１及び第２の枕木固定構造において、前記角フックボルトの素材として、ＪＩＳ規格のＪＩＳ  Ｇ  ３１０１で規定される一般構造用圧延鋼材ＳＳ４００を用いると、既設の枕木における丸穴に組付け可能なサイズに角フックボルトを構成しつつ、角フックボルトの強度剛性や締め付けトルクを十分に確保することが可能となる。
【００２４】
前記角フックボルトの螺子部の上端近傍部に取付穴を形成し明瞭、この取付穴にナット部材の脱落を規制する金属線材からなるピン部材であって、一端部に金属線材の途中部を曲げ加工することで、取付穴へのピン部材の取付操作用の操作部を形成し、他端側部分に操作部から略同方向へ延びる２本のピン本体を形成し、一方のピン本体に取付穴に挿通されるストレート状の挿入部を形成し、他方のピン本体に螺子部の外周に沿って配置される湾曲状の保持部と、保持部の突出側へ保持部に連なって延びる略Ｕ字状の案内部と、挿入部を挟んで反対側へ案内部に連なって延びる脱落規制部とを形成したピン部材を取付けてもよい。この場合には、挿通部を角フックボルトの取付穴に挿通させ、保持部を螺子部の外周部に圧接させてピン部材を角フックボルトの螺子部に取付けることになる。そして、このようにピン部材を取付けた状態では、脱落規制部が挿入部を挟んで反対側まで延びているので、取付穴からピン部材を引き抜く際には、挿入部を中心にピン部材を回転させながら引き抜く必要があり、単に挿入部の方向にピン部材を引き抜こうとしても脱落規制部が角フックボルトの螺子部に係合するので、列車通過時の振動等でピン部材が脱落するという不具合を確実に防止できる。      
【考案を実施するための最良の形態】
【００２５】
先ず、本考案の第１実施例について図面を参照しながら説明する。尚、本実施例では、枕木の長さ方向を左右方向と定義し、Ｈ形鋼の長さ方向を前後方向と定義して説明する。
【００２６】
図１に示すように、橋梁には左右１対のＨ形鋼１が間隔をあけて略並行に設けられ、枕木２は左右のＨ形鋼１にわたってその上側に架け渡して設けられ、左右１対の枕木固定構造１０によりＨ形鋼１に固定されている。レール５は、図示外の固定手段により左右に間隔をあけて枕木２上に固定されている。
【００２７】
次に、左右の枕木固定構造１０について説明するが、両枕木固定構造１０は左右対称の構成なので、右側のものについて説明する。
【００２８】
枕木固定構造１０は、図１〜図６に示すように、枕木２に形成した丸穴３に角フックボルト１１を組付けて橋梁のＨ形鋼１に対して枕木２を固定するもので、上下に配置される螺子部１２及び角形断面の軸部１３と、下端部に形成したフック部１４と、螺子部１２の側面にその軸方向の略全長にわたって形成した回り止め用の係合面１５とを有し、螺子部１２と軸部１３とを枕木２の丸穴３に装着し、フック部１４を橋梁のＨ形鋼１のフランジ部４に係合させて枕木２に組付けられる角フックボルト１１と、枕木２の上面に幅方向に配置される中間部１６と、枕木２の側面に沿って下方へ延びる１対のアーム部１７と、中間部１６の略中央部に形成した挿通穴１８と、挿通穴１８の口縁に形成した係止部１９とを有し、挿通穴１８に角フックボルト１１の螺子部１２を挿通させて枕木２に組付けられ、係止部１９が角フックボルト１１の係合面１５に係合するとともに、アーム部１７が枕木２に係合することで角フックボルト１１のとも回りを規制可能な回り止め金具２０と、角フックボルト１１の螺子部１２に螺合され、フック部１４との間に枕木２と橋梁の一部と回り止め金具２０とを挟持して、枕木２を橋梁に固定するナット部材２１と、ナット部材２１と回り止め金具２０間において螺子部１２に上下に外嵌装着したスプリングワッシャ２２及び座板２３と、ナット部材２１の脱落を防止するために角フックボルト１１の上端部に取り付けたピン部材２４とを備えている。
【００２９】
前記角フックボルト１１の素材として、本実施例ではＪＩＳ規格のＪＩＳ  Ｇ  ３１０１で規定される一般構造用圧延鋼材ＳＳ４００を用いたが、枕木２の固定に必要な強度剛性を有するものであれば任意の金属材料を用いることができる。角フックボルト１１の軸部１３の長さは、フック部１４をフランジ部４の下面に圧接係止させた状態で、螺子部１２の途中部が枕木２の上面高さに位置する長さに設定されている。また、軸部１３の横断面形状は、図６に示すように、略小判型に形成したが略正方形状や長方形状に形成してもよい。尚、本実施例において角形断面とは、略平行な２面を少なくとも１組有するものを指すものとする。
【００３０】
フック部１４は、Ｈ形鋼１の上側のフランジ部４に下側から当接可能なものであれば任意の形状やサイズに設定可能であり、図１〜図３に示すように正面視で略半円弧状に形成してもよいし、軸部１３の下端部から斜め上方へ略ストレート状に延びた形状に形成することも可能である。
【００３１】
螺子部１２は締め付けトルクを十分に確保するため転造により形成したが、切削により形成することも可能である。螺子部１２に形成する係合面１５は、切削加工により形成してもよいが、螺子部１２における強度を確保するためプレス成形にて形成することが好ましい。また、係合面１５の個数は、３つ以上になると締め付けトルクを十分に確保できなくなるので、１乃至２つ形成することが好ましい。係合面１５は螺子部１２の外周の任意の位置に形成でき、図５に示すように、螺子部１２の左右面に形成してもよいし、螺子部１２の前後面に形成してもよい。
【００３２】
回り止め金具２０の中間部１６は枕木２の幅よりも多少長く設定され、中間部１６に形成する挿通穴１８は、枕木２における丸穴３の形成位置の誤差を吸収するため、枕木２の幅方向（前後方向）に細長い長穴状に形成されている。回り止め金具２０の幅は、任意に設定可能であるが、回り止め金具２０の取り付け安定性を確保するため角フックボルト１１の直径の約３倍程度に設定することが好ましい。
【００３３】
ナット部材２１としては、緩み防止機能を有するロックナットやハードロックナットなどの周知の構成のものを採用できる。スプリングワッシャ２２は周知の構成のもので、列車通過時等の振動によりナット部材２１が緩むことを防止するためのものである。
【００３４】
図１、図３、図４に示すように、ピン部材２４は金属線材を曲げ加工して製作したもので、角フックボルト１１の螺子部１２の上端近傍部に形成した取付穴２５に取付けられている。ピン部材２４の一端部には金属線材の途中部を環状に曲げ加工することで、取付穴２５へのピン部材２４の取付操作用の操作部２６が形成され、ピン部材２４の他端側部分には操作部２６から略同方向へ延びる２本のピン本体２７が形成され、一方のピン本体２７には取付穴２５に挿通されるストレート状の挿入部２８が形成され、他方のピン本体２７には螺子部１２の外周に沿って配置される湾曲状の保持部２９と、保持部２９の端部から保持部２９の略突出側へ延びる略Ｕ字状の案内部３０と、案内部３０の端部から挿入部２８を挟んで反対側へ延びる脱落規制部３１とが形成されている。尚、このピン部材２４は、枕木固定構造１０以外の用途にも用いることができる。
【００３５】
このピン部材２４においては、挿入部２８を取付穴２５に挿入し、保持部２９を素材の弾性で螺子部１２の外周面に圧接させて、螺子部１２からの脱落が防止されるとともに、脱落規制部３１が螺子部１２の外周面に係合してピン部材２４の抜け方向への移動が規制されるので、列車通過時等における振動でピン部材２４が螺子部１２から脱落することが確実に防止される。尚、ピン部材２４を抜き取る際には、挿入部２８を中心としてピン部材２４を捩りながら抜き取ることになる。
【００３６】
このような枕木固定構造１０により枕木２を固定する際には、角フックボルト１１の螺子部１２及び軸部１３を下側から枕木２の丸穴３に挿通させて、角フックボルト１１のフック部１４をＨ形鋼１のフランジ部４の下側に位置させた状態で、回り止め金具２０と座板２３とスプリングワッシャ２２とを螺子部１２に順番に装着して、回り止め金具２０の中間部１６を枕木２の上面にセットするとともに、回り止め金具２０のアーム部１７を枕木２の左右両側に配置させ、ナット部材２１を螺子部１２に締結してからピン部材２４を螺子部１２に取付けて組み立てることになる。
【００３７】
この枕木固定構造１０では、枕木２に形成した丸穴３に角フックボルト１１を組付けることができるので、丸フックボルトに代えて角フックボルトを普及させることが可能となる。しかも、この角フックボルト１１はＳＳ４００で構成しているので、十分な引張り強度や締め付けトルクを確保することができる。また、列車通過時等における振動は、軸部１３及び螺子部１２の長さ方向への弾性変形や、フック部１４やスプリングワッシャ２２の弾性変形により、効果的に吸収することが可能となり、該振動によりナット部材２１が緩むことを効果的に防止できる。また、簡単な回り止め金具２０を設けることで、枕木２に対する角フックボルト１１の組付性を低下させることなく、ナット部材２１の締め付け時における角フックボルト１１のとも回りを防止できる。
【００３８】
次に、本考案の第２実施例について図面を参照しながら説明する。尚、前記第１実施例と同一部材には同一符号を付してその詳細な説明を省略する。また、枕木２は左右１対の枕木固定構造１０Ａにより橋梁のＨ形鋼１に固定されるが、両枕木固定構造１０Ａは左右対称の構成なので、右側のものについて以下説明する。
【００３９】
図７〜図９に示すように、この枕木固定構造１０Ａは、枕木２に形成した丸穴３に角フックボルト１１Ａを組付けて橋梁に対して枕木２を固定するもので、前記第１実施例における螺子部１２から係合面１５を省略した螺子部１２Ａを有する角フックボルト１１Ａであって、螺子部１２Ａと軸部１３とを枕木２の丸穴３に装着し、フック部１４を橋梁の一部に係合させて枕木２に組付けられる角フックボルト１１Ａと、枕木２の下面に幅方向に配置される中間部４０と、枕木２の側面に沿って上方へ延びるアーム部４１と、両アーム部４１の上端から内向きに延びて枕木２の上面に係合する爪部４２と、中間部４０の略中央部に形成した、角フックボルト１１Ａの軸部１３に適合した角穴状の挿通穴４３とを有し、挿通穴４３に角フックボルト１１Ａの軸部１３を挿通させて枕木２に組付けられ、挿通穴４３が角フックボルト１１Ａの軸部１３に係合するとともに、アーム部４１が枕木２に係合することで角フックボルト１１Ａのとも回りを規制可能な回り止め金具４４と、角フックボルト１１Ａの螺子部１２Ａに螺合され、フック部１４との間に枕木２と橋梁の一部と回り止め金具４４を挟持して、枕木２を橋梁に固定するナット部材２１と、枕木２とナット部材２１間において螺子部１２Ａに上下に外嵌装着したスプリングワッシャ２２及び座板２３と、フック部１４と回り止め金具４４間において軸部１３に上下に外嵌装着した弾性部材４５及び受板４６と、ナット部材２１の脱落を防止するために角フックボルト１１Ａの上端部に取り付けたピン部材２４とを備えている。尚、本第２実施例では、前記第１実施例における角フックボルト１１から係合面１５を省略した角フックボルト１１Ａを用いたが、前記第１実施例で用いた角フックボルト１１をそのまま利用することも可能である。
【００４０】
角フックボルト１１Ａは、螺子部１２から係合面１５を省略した以外は前記第１実施例の角フックボルト１１と同様に構成されている。軸部１３の長さは、フック部１４をＨ形鋼１のフランジ部４の下面に圧接係合させた状態で、螺子部１２の途中部が枕木２の上面高さに位置する長さに設定されている。
【００４１】
回り止め金具４４は、細長い金属板を折曲したもので、中間部４０と１対のアーム部４１と爪部４２とで倒立略門形に形成されている。回り止め金具４４の挿通穴４３は、角フックボルト１１Ａの軸部１３に相対回転不能に外嵌する形状であれば任意の形状に構成でき、角フックボルト１１Ａの軸部１３の平行な１対の係合面４７に係合する係合部４８を有する略正方形や長方形の角穴状や、軸部１３の下端部に適合した略小判型に形成してもよい。回り止め金具４４の中間部４０は枕木２の幅よりも多少長く設定され、回り止め金具４４を枕木２に取付けた状態で、中間部４０を長さ方向に移動させることで、枕木２における丸穴３の形成位置の誤差に応じて挿通穴４３の位置を微調整できるように構成されている。
【００４２】
受板４６は、中央部に角フックボルト１１Ａの軸部１３の下端部に係合する角穴４９を形成した板状部材で構成されている。弾性部材４５は圧縮コイルバネで構成され、弾性部材４５は受板４６により下側から支持されている。ナット部材２１を締め付けると弾性部材４５が圧縮されて回り止め金具４４の中間部４０が枕木２の底面に圧接され、列車通過時等における回り止め金具４４の振動が防止されるように構成されている。
【００４３】
このような枕木固定構造１０Ａにより枕木２を固定する際には、先ず爪部４２を枕木２の上面に係合させて回り止め金具４４を枕木２に組付け、角フックボルト１１Ａに受板４６及び弾性部材４５を装着した状態で、枕木２の下側から螺子部１２Ａ及び軸部１３を回り止め金具４４の挿通穴４３及び枕木２の丸穴３に挿通させるとともに、角フックボルト１１Ａのフック部１４をＨ形鋼１のフランジ部４の下側に位置させる。次に、枕木２から上方へ突出する螺子部１２Ａに座板２３とスプリングワッシャ２２とを順番に装着してから、ナット部材２１を螺子部１２Ａに締結し、最後にピン部材２４を螺子部１２Ａに取付けて組み立てることになる。
【図面の簡単な説明】
【００４４】
【図１】本考案に係る第１の枕木固定構造の分解斜視図
【図２】角フックボルトの斜視図
【図３】組立状態における図１のＡ−Ａ線断面図
【図４】図３のＢ−Ｂ線断面図
【図５】図３のＣ−Ｃ線断面図
【図６】図３のＤ−Ｄ線断面図
【図７】本考案に係る第２の枕木固定構造の分解斜視図
【図８】枕木固定構造の縦断面図（図４相当図）
【図９】図８のＥ−Ｅ線断面図
【符号の説明】
【００４５】
１      Ｈ形鋼          ２      枕木
３      丸穴            ４      フランジ部
５      レール
１０    枕木固定構造    １１    角フックボルト
１２    螺子部          １３    軸部
１４    フック部        １５    係合面
１６    中間部          １７    アーム部
１８    挿通穴          １９    係止部
２０    回り止め金具    ２１    ナット部材
２２    スプリングワッシャ
２３    座板            ２４    ピン部材
２５    取付穴          ２６    操作部
２７    ピン本体        ２８    挿入部
２９    保持部          ３０    案内部
３１    脱落規制部
１０Ａ  枕木固定構造    １１Ａ  角フックボルト
１２Ａ  螺子部          ４０    中間部
４１    アーム部        ４２    爪部
４３    挿通穴          ４４    回り止め金具
４５    弾性部材        ４６    受板
４７    係合面          ４８    係合部
４９    角穴
【図１】
0003101165.tif 000003
【図２】
0003101165.tif 000004
【図３】
0003101165.tif 000005
【図４】
0003101165.tif 000006
【図５】
0003101165.tif 000007
【図６】
0003101165.tif 000008
【図７】
0003101165.tif 000009
【図８】
0003101165.tif 000010
【図９】
0003101165.tif 000011